(57)【要約】  本発明は容器の蓋（２）に関し、当該容器の蓋（２）は、周方向減衰輪郭（２０）によって規定される流出口のための領域（１２）を有する蓋面（１０）と、領域（１２）を開くための持ち上げ式タブ（１４）とを備え、当該タブは、リベットの形態の締結手段（２４）を用いて蓋面（１０）の上面に締結されており、蓋面（１０）は、蓋面から突き出るまたは蓋面に突き出る第１のロッキング要素（３８）を有し、持ち上げ式タブ（１４）は、締結手段（２４）を中心とした持ち上げ式タブ（１４）の回転を防止するように第１のロッキング要素（３８）と相互作用する第２のロッキング要素（４０）を有し、締結手段（２４）は、第１のロッキング手段（３８）および／または第２のロッキング手段（４０）と相互作用して、締結手段（２４）の回転を防止するような態様で設計される。本発明はさらに、容器、および容器の蓋の製造方法を含む。
2014521568.tif 000002
【特許請求の範囲】
【請求項１】
容器の蓋（２）であって、
蓋面（１０）を備え、前記蓋面（１０）は、上部側および底部側と、周方向端縁（６）と、少なくとも１つの完全にまたは部分的に周方向の裂け目輪郭（２０）、特に切欠き輪郭によって制限される、特に切欠き付き金属シートを有する流出口のための領域（１２）とを有し、前記容器の蓋（２）はさらに、
持ち上げ式タブ（１４）を備え、前記持ち上げ式タブ（１４）は、特に前記蓋面（１０）の中央に設けられたリベットの形態の締結手段（２４）によって、任意に回動可能に前記蓋面（１０）の前記上部側に取付けられ、前記領域（１２）を少なくとも部分的に開くことで前記流出口を形成するためのものであり、第１の端部セクション（１６）および反対側の第２の端部セクション（１８）を有し、前記締結手段を中心として開き位置に移動させることができるか、または、開き位置に設けられ、
特に前記持ち上げ式タブ（１４）の前記開き位置において、前記第１の端部セクション（１６）は、前記流出口のための前記領域（１２）の一部と少なくとも部分的に重なるようにされることができるか、または、少なくとも部分的に重なっており、前記第２の端部セクション（１８）は、前記第１の端部セクション（１６）に対して前記締結手段（２４）を越えて前記蓋面（１０）の前記上部側から第１の間隔のところに設けられ、前記間隔は特に、前記持ち上げ式タブ（１４）が前記第１の端部セクション（１６）によって前記領域（１２）に対して力をかけて前記流出口の形成を開始させるのには十分ではなく、
前記蓋面（１０）は、前記蓋面から突き出るおよび／または前記蓋面に突き出る少なくとも１つの第１のロッキング要素（３８）を備え、
前記持ち上げ式タブ（１４）は、少なくとも１つの第２のロッキング要素（４０）を備え、前記第２のロッキング要素（４０）は、たとえ前記第１の間隔よりも大きな前記蓋面（１０）からの第２の間隔に前記第２の端部セクション（１８）を移動させたとしても、特に前記開き位置からの前記締結手段（２４）を中心とした前記持ち上げ式タブ（１４）の回動を防止できるまたは防止するように、特に前記開き位置において前記第１のロッキング要素（３８）と相互作用し、
前記第１および第２のロッキング要素（３８，４０）は、後者が前記開き位置にある場合には、前記締結手段（２４）から前記持ち上げ式タブ（１４）の前記第２の端部セクション（１８）の方に延びており、
前記第１のロッキング要素（３８）は、前記端縁（６）の方に特に径方向に延びており、
前記締結手段（２４）は、前記締結手段（２４）の回動を防止できるまたは防止するような態様で少なくとも１つの第１のロッキング手段（３８）および／または少なくとも１つの第２のロッキング手段（４０）と相互作用するように設計される、容器の蓋（２）。
【請求項２】
前記締結手段は、前記蓋面の前記上部側に、前記蓋面の一体型の部分として形成されることを特徴とする、請求項１に記載の容器の蓋（２）。
【請求項３】
前記第１および第２のロッキング要素の相互作用は、前記第１および第２のロッキング要素（３８，４０）を形状および／またはサイズの点で適合させて、特に前記開き位置において互いに係合させ、特に前記開き位置からの前記締結手段（２４）を中心とした前記持ち上げ式タブ（１４）の回動を防止することを含むことを特徴とする、請求項１または２に記載の容器の蓋（２）。
【請求項４】
前記持ち上げ式タブ（１４）は、前記締結手段（２４）を用いて、特に前記持ち上げ式タブ（１４）の前記第１の端部セクション（１６）に隣接して前記持ち上げ式タブ（１４）を前記蓋面（１０）に保持する、好ましくは金属でできた保持要素（２６）、特に保持舌片を含むことを特徴とする、請求項１から３のいずれか１項に記載の容器の蓋（２）。
【請求項５】
前記第２のロッキング要素（４０）は前記保持要素（２６）に設けられることを特徴とする、請求項４に記載の容器の蓋（２）。
【請求項６】
前記第２のロッキング要素（４０）は、特に前記開き位置において前記蓋面（１０）の前記底部側の方への窪みとして形成される第１の適合ロッキング要素（３８）と係合する、前記蓋面（１０）の方への窪みを示しまたは含み、および／または、前記第２および前記第１のロッキング要素（４０，３８）は、前記領域（１２）から、特に前記締結手段（２４）から離れる方向に延びていることを特徴とする、請求項１から５のいずれか１項に記載の容器の蓋（２）。
【請求項７】
前記持ち上げ式タブ（１４）、特に前記保持要素（２６）が、少なくとも２つ、３つまたは４つの第２のロッキング要素（４０）を備え、および／または、前記蓋面（１０）が、少なくとも２つ、３つまたは４つの第１のロッキング要素（３８）を備え、前記少なくとも２つ、３つまたは４つの第１および第２のロッキング要素（３８，４０）は、それらの位置ならびに任意にそれらの形状および／またはサイズに関して適合しており、好ましくは係合していることを特徴とする、請求項１から６のいずれか１項に記載の容器の蓋（２）。
【請求項８】
前記第１および／または第２のロッキング要素（３８，４０）は、前記締結手段（２４）および前記持ち上げ式タブ（４０）の前記第２の端部セクション（１８）の領域に、特に前記締結手段（２４）と前記持ち上げ式タブ（４０）の前記第２の端部セクション（１８）との間に設けられることを特徴とする、請求項１から７のいずれか１項に記載の容器の蓋（２）。
【請求項９】
飲料缶のための蓋であることを特徴とする、請求項１から８のいずれか１項に記載の容器の蓋（２）。
【請求項１０】
２つまたは３つの第１のロッキング要素（３８）は、特に長手方向寸法において、前記締結手段（２４）から前記端縁（６）の方に径方向に延びていることを特徴とする、請求項１から９のいずれか１項に記載の容器の蓋（２）。
【請求項１１】
前記締結手段（２４）は、特に前記蓋面の前記上部側に前記蓋面の一体型の部分を形成する際に、少なくとも１つの第１のロッキング要素（３８）および少なくとも１つの第２のロッキング要素（４０）と係合して、その結果、前記締結手段（２４）のいかなる回動も防止できるまたは防止するように、その形状およびサイズに関して設計されることを特徴とする、請求項１から１０のいずれか１項に記載の容器の蓋（２）。
【請求項１２】
前記締結手段（２４）は、特に長手方向寸法において前記容器の蓋の前記端縁の方に延びるリベットであるかまたはリベットを含み、第１の適合ロッキング要素（３８）および第２の適合ロッキング要素（４０）と係合すると同時に、前記第１および第２のロッキング要素（３８，４０）が互いに係合することを特徴とする、請求項１から１１のいずれか１項に記載の容器の蓋（２）。
【請求項１３】
少なくとも１つのさらなる第１のロッキング要素（３８）および少なくとも１つのさらなる第２のロッキング要素（４０）との前記締結手段（２４）の係合なしに、前記少なくとも１つのさらなる第１のロッキング要素（３８）が前記少なくとも１つのさらなる第２のロッキング要素（４０）と係合することを特徴とする、請求項１２に記載の容器の蓋。
【請求項１４】
前記締結手段、前記第１のロッキング要素（３８）および前記第２のロッキング要素（４０）は、前記蓋面の一体型の部分である前記締結手段のブランクを圧縮成形することによって得られたものであり、前記蓋面のセクションが前記第１のロッキング要素を形成し、前記持ち上げ式タブのセクションが前記第２のロッキング要素を形成し、特に互いに係合していることを特徴とする、請求項１から１３のいずれか１項に記載の容器の蓋（２）。
【請求項１５】
容器本体（４）と、流体密封の態様で前記容器本体（４）と接合された請求項１から１４のいずれか１項に記載の容器の蓋（２）とを備える、容器（１）、特に飲料缶。
【請求項１６】
特に請求項１から１４または２から１４のいずれか１項に係る容器、特に飲料缶のための容器の蓋（２）の製造方法であって、
蓋面（１０）を設けるステップを備え、前記蓋面（１０）は、上部側および底部側を有し、周方向端縁（６）を有し、少なくとも１つの完全にまたは部分的に周方向の裂け目輪郭（２０）によって制限される流出口のための領域（１２）と、前記蓋面の一体型の部分、特にひとつなぎの部分としての、その上部側のリベットブランクの形態の締結手段（２５）のブランクとを有し、前記方法はさらに、
前記締結手段（２５）の前記ブランクのためのアパーチャを有する持ち上げ式タブを設けるステップと、
第１の圧縮成形型に前記蓋面を挿入するステップと、
前記締結手段の前記ブランクが前記アパーチャを通るように前記蓋面にまたは前記蓋面上に前記持ち上げ式タブを配置するステップと、
前記蓋面および／または持ち上げ式タブを任意に位置決めするステップと、
前記締結手段の前記ブランクを含む前記蓋面および前記持ち上げ式タブを圧縮成形し、このようにして、前記蓋面に実質的に平行な寸法が前記持ち上げ式タブの前記アパーチャよりも大きなリベットヘッドを含むリベットを形成し、前記蓋面から突き出るおよび／または前記蓋面に突き出る少なくとも１つの第１のロッキング要素（３８）と、前記蓋面から突き出るおよび／または前記蓋面に突き出る少なくとも１つの第２のロッキング要素（４０）とを形成し、その結果、少なくとも１つの第１および少なくとも１つの第２のロッキング要素が互いに係合し、それによって前記リベットを中心とした前記持ち上げ式タブの回動を困難にするかまたは防止するステップとを備える、方法。
【請求項１７】
前記リベット、特に前記リベットヘッドは、それぞれ前記圧縮成形プロセスにおいて、前記第１または第２のロッキング要素を形成するプロセスにおいて、前記少なくとも１つの第１および少なくとも１つの第２のロッキング要素と少なくとも部分的に係合されることを特徴とする、請求項１６に記載の方法。
【請求項１８】
前記圧縮成形プロセスにおいて、少なくとも１つのさらなる第１のロッキング要素（３８）は、少なくとも１つのさらなる第２のロッキング要素（４０）と係合されることを特徴とする、請求項１７に記載の方法。
【発明の詳細な説明】
【技術分野】
【０００１】
説明
本発明は、容器の蓋、容器、特に上記容器の蓋を含む飲料缶、および容器の蓋の製造方法に関する。
【背景技術】
【０００２】
液体用ワンウェイ容器が、さまざまな形状およびサイズで長い間用いられてきた。持ち上げ式タブクロージャを備えた蓋を有する、軽金属からなる飲料缶が特に一般的である。第１の実施例によれば、レバーまたは持ち上げ式タブを操作して缶上部に係留接続されたままにした時、流出口を形成する蓋の領域または部分は缶に押し込まれる。別の実施例によれば、このタブは、持ち上げ式タブを操作した時に、流出口を形成する蓋の領域または部分とともに取外される。このような閉じシステムは、例えばＷＯ９７／０３０９０２、ＤＥ  １００  １８  ６８５  Ｃ２、ＵＳ４１４８４１０、ＥＰ  ５６４  ７２５  Ａ１、ＷＯ２００５／０５６４００  Ａ１およびＧＢ  ２  ３７９  ９１７  Ａに記載されている。
【発明の概要】
【発明が解決しようとする課題】
【０００３】
このような容器のレバーまたは持ち上げ式タブは、中央位置において蓋面に接続される締結手段、多くの場合リベットを中心として回転させることができる。持ち上げ式タブは、その第１の端部において、流出口を覆う蓋面の領域と重なる。反対側の第２の端部において持ち上げ式タブを持ち上げて第１の端部が上記領域に対して力をかけると、流出口が開く。持ち上げ式タブの第１の端部は、流出口を覆いかつ裂け目輪郭（tear profile）によってしばしば規定される蓋面の領域との重複がわずかしかないので、一般的には、理想的に位置合わせされた持ち上げ式タブを用いて、すなわちその開き位置から缶を開ける必要がある。そうしなければ、持ち上げ式タブは折れて取れたり曲がったりする可能性があり、もはや飲料を開けることができない。
【０００４】
この問題を解決するために、Ｕ．Ｓ．３，４５３，８７７では、持ち上げ式タブのリベットと、持ち上げ式タブの対応する穴と係合する流出口の領域との間の蓋面に隆起部を設けることが提案された。ＧＢ  １  １０６  ８２８でも、同じアプローチが提案されている。この目的で、持ち上げ式タブの領域の小さなアパーチャは、対応する突起と相互作用するよう意図されている。
【０００５】
ＪＰ  ０７  ２７５９７６  Ａでも、蓋面におけるリベットの隣に、持ち上げ式タブの対応する穴と係合する突起が設けられている。
【０００６】
ＤＥ  １０  ３００  ９１４  Ａ１によれば、使用しない時に缶開け用タブの端縁を制限して保持するよう意図された、ビードの形態の蓋面からの帯状突起によって、持ち上げ式タブの回転が防止される。
【０００７】
ＧＢ  １  ５３４  ７０３には、プルリングを有する持ち上げ式タブであって、このリングの内側に取付けられた２つの突起によってリベットを中心として自由に回転することが防止される持ち上げ式タブが開示されている。ＧＢ  １  ４２２  ６４８に係る持ち上げ式タブを所定の位置に保持するための装置は、所定の位置を外れたその回転を防止するのに役立つように突起が持ち上げ式タブの内側端縁ではなく外側端縁に配置されているという点において、ＧＢ  １  ５３４  ７０３に開示されているものと異なっているに過ぎない。
【０００８】
ＤＥ  ６０  ２００５  ００２  ８７８  Ｔ２によれば、持ち上げ式タブまたは缶開け用タブのねじれは、通気穴を同時に覆う取外し可能な粘着テープを取付けることによってのみ効果的に防止することができる。
【０００９】
ＤＥ  ２８  ４２  ４４９によれば、缶開け用タブの突起は、プレテンショニングのために蓋面に押し付けられる。これは、缶開け用タブの回動運動を防止する。
【００１０】
ＪＰ  ８  ０５３１３１  Ａでは、缶の蓋から突き出て、開口を介して持ち上げ式タブをその位置に保つのに役立つピンが提案されている。Ｕ．Ｓ．２００２／００８８８０４  Ａ１には、さらなるロッキングのためにいわゆる支持体を用いて持ち上げ式タブが回転することを防止する同等の解決策が開示されている。
【００１１】
ＪＰ  ９  ２２６７６２  Ａでは、持ち上げ式タブを所定の場所にロックするために持ち上げ式タブの舌片の対応する穴と係合する蓋面からの突起が提案されている。ＷＯ９８／３３７１５  Ａ１でも類似の解決策が提案されている。
【００１２】
そして最後に、ＪＰ  ２００６  １７６１４２  Ａでは、回転することを防止するための突起付きリベットが提案されている。
【００１３】
先行技術から公知の蓋の変形例は全て不利な点を有しており、改善の余地を残している。例えば、ユーザまたは顧客は依然としてタブを間違って操作する可能性がある。
【００１４】
したがって、本発明の課題は、先行技術の不利な点がなく、特に製造工程および／または構成要素の複雑な構成を必要とすることなく不適切な操作を排除するレバーまたは持ち上げ式タブの単純かつ確実な操作を可能にする容器の蓋を提供することである。
【課題を解決するための手段】
【００１５】
したがって、容器の蓋であって、蓋面を備え、当該蓋面は、上部側および底部側と、周方向端縁と、少なくとも１つの完全にまたは部分的に周方向の裂け目輪郭、特に切欠き輪郭によって制限される、特に切欠き付き金属シートを有する流出口のための領域とを有し、当該容器の蓋はさらに、持ち上げ式タブを備え、当該持ち上げ式タブは、特に蓋面（１０）の中央に設けられたリベットの形態の締結手段によって、任意に回動可能に蓋面の上部側に取付けられ、領域を少なくとも部分的に開くことで流出口を形成するためのものであり、第１の端部セクションおよび反対側の第２の端部セクションを有し、締結手段を中心として開き位置に移動させることができるか、または、開き位置に設けられ、特に持ち上げ式タブの開き位置において、第１の端部セクションは、流出口のための領域の一部と少なくとも部分的に重なるようにされることができるか、または、少なくとも部分的に重なっており、第２の端部セクションは、第１の端部セクションに対して締結手段を越えて蓋面の上部側から第１の間隔のところに設けられ、当該間隔はしかし、持ち上げ式タブが第１の端部セクションによって領域に対して力をかけて流出口の形成を開始させるのには十分ではなく、蓋面は、蓋面から突き出るおよび／または蓋面に突き出る少なくとも１つの第１のロッキング要素を備え、持ち上げ式タブは、少なくとも１つの第２のロッキング要素を備え、当該第２のロッキング要素は、たとえ第１の間隔よりも大きな蓋面からの第２の間隔に第２の端部セクションを移動させたとしても、特に開き位置からの締結手段を中心とした持ち上げ式タブの回動を防止できるまたは防止するように、特に開き位置において第１のロッキング要素と相互作用し、第１および第２のロッキング要素は、後者が開き位置にある場合には、締結手段から持ち上げ式タブの第２の端部セクションの方に延びており、第１のロッキング要素は、端縁の方に特に径方向に延びており、締結手段は、締結手段の回動を防止できるまたは防止するような態様で少なくとも１つの第１のロッキング手段および／または少なくとも１つの第２のロッキング手段と相互作用するように設計される、容器の蓋が発見された。
【００１６】
特に有用な実施例において、締結手段は、上記蓋面の上部側に、蓋面の一体型の部分として形成される。また、締結手段は、ひとつなぎの状態で蓋面に組込まれてもよい。締結手段を蓋面に組込むことにより、蓋セクションにおける漏れのリスクが無くなる。
【００１７】
また、ここでは、第１および第２のロッキング要素の相互作用は、第１および第２のロッキング要素を形状および／またはサイズの点で適合させて、特に開き位置において互いに係合させ、特に開き位置からの締結手段を中心とした持ち上げ式タブの回動を防止することを含むことが好ましい。
【００１８】
特に有用な実施例において、持ち上げ式タブは、締結手段を用いて、特に持ち上げ式タブの第１の端部セクションに隣接して持ち上げ式タブを蓋面に保持する、好ましくは金属でできた保持要素、特に保持舌片を含む。１つまたは２つのロッキング要素が保持要素または保持舌片に設けられることが特に好ましい。
【００１９】
特に好適な実施例において、第２のロッキング要素は、特に開き位置において蓋面の底部側の方への窪みとして形成される第１の適合ロッキング要素と係合する、蓋面の方への窪みを示しまたは含み、および／または、第２および第１のロッキング要素は、領域から、特に締結手段から離れる方向に延びている。
【００２０】
１つの実施例において、本発明に係る容器の蓋は、持ち上げ式タブ、特に保持要素が、少なくとも２つ、３つまたは４つの第２のロッキング要素を備え、および／または、蓋面が、少なくとも２つ、３つまたは４つの第１のロッキング要素を備え、少なくとも２つ、３つまたは４つの第１および第２のロッキング要素は、それらの位置ならびに任意にそれらの形状および／またはサイズに関して適合しており、好ましくは係合していることを特徴とする。
【００２１】
第１および／または第２のロッキング要素は、締結手段に隣接して配置されてもよい。
第１および／または第２のロッキング要素は、締結手段および持ち上げ式タブの第２の端部セクションの領域に、特に締結手段と持ち上げ式タブの第２の端部セクションとの間に設けられることが適切である。
【００２２】
１つの実施例において、第１および／または第２のロッキング要素は、上面図で、直線、三角形、長方形、台形、平行四辺形、正方形、円形または楕円形などの幾何学的形状を有する。
【００２３】
１つの変形例において、本発明に係る容器の蓋は、飲料缶の蓋である。
本発明に係る容器の蓋の蓋面の周方向端縁は、フランジも含んでいてもよい。
【００２４】
さらに、流出口のための領域は切欠き付き金属シートであってもよく、または、裂け目輪郭が切欠き輪郭を示してもよい。
【００２５】
この文脈において、例えば、裂け目輪郭は、ある距離範囲まで、特に開き位置においては第１の端部セクションに隣接して、開き位置において締結手段および第１の端部セクションによって形成される直線に対して側部にオフセットされて、流出口のための領域を取囲んでいることが好ましい。
【００２６】
持ち上げ式タブを蓋面に取付けるための締結手段は、しばしば、上記蓋面の中央に配置される。締結手段は、リベットを含むまたは示す。
【００２７】
さらに、特に隣接して流出口のための領域を完全にまたは部分的に取囲むビードを蓋面の上部側に含む容器の蓋が特に好適である。流出口のための領域は、締結手段から間隔があいていてもよく、特に蓋面の端縁に隣接していてもよい。
【００２８】
本発明に係る容器の蓋は、完全にまたは部分的に、金属および／またはプラスチックでできていてもよい。
【００２９】
周方向端縁は、蓋面の上部側からの軸方向の広がりを備えていてもよい。
この点において、上記広がりのサイズは、流出口のための領域が依然としてそのままの状態である時には、開き位置における蓋面に対する持ち上げ式タブの軸方向の広がりのサイズよりも大きいことが有利である。
【００３０】
別の実施例において、第１のロッキング要素、特に２つまたは３つの第１のロッキング要素は、特に長手方向寸法において、特に締結手段から端縁の方に径方向に延びている。締結手段は、特に上記蓋面の上部側に蓋面の一体型の部分を形成する際に、少なくとも１つの第１のロッキング要素および少なくとも１つの第２のロッキング要素と相互作用して、特にそれまたはそれらと係合して、その結果、締結手段のいかなる回動も防止できるまたは防止するように、その形状およびサイズに関してリベットとして設計されることも特に有用である。
【００３１】
締結手段の構成により、持ち上げ式タブの位置を所望の開き位置に特に確実にしっかりと固定することができ、持ち上げ式タブはもはや操作することができず、開き位置から、すなわち持ち上げ式タブを用いて最適な向きで容器が常に開けられることを保証する。
【００３２】
特に有用な実施例において、締結手段は、特に長手方向寸法において容器の蓋の端縁の方に延びるリベットであってもよくまたはリベットを含んでいてもよく、第１の適合ロッキング要素および第２の適合ロッキング要素と係合すると同時に、上記第１および第２のロッキング要素が互いに係合する。少なくとも１つのさらなる第１のロッキング要素および少なくとも１つのさらなる第２のロッキング要素との締結手段の係合なしに、少なくとも１つのさらなる第１のロッキング要素が少なくとも１つのさらなる第２のロッキング要素と係合するさらなる展開例は、ねじれに対する耐性の点で特に優れた品質を有することが分かった。
【００３３】
この文脈において、締結手段、第１のロッキング要素および第２のロッキング要素は、蓋面の一体型の部分である締結手段のブランクを圧縮成形することによって得られたものであり、蓋面のセクションが第１のロッキング要素を形成し、持ち上げ式タブのセクションが第２のロッキング要素を形成し、特に互いに係合しているこのような容器の蓋が好ましい。
【００３４】
本発明の根本的な課題は、容器本体と、流体密封の態様で当該容器本体と接合された容器の蓋とを備える容器によっても解決される。本発明に係る容器は、例えば飲料缶であってもよい。
【００３５】
本発明の根本的な課題は、容器、特に飲料缶のための、特に本発明に係る容器の蓋の製造方法であって、
蓋面を設けるステップを備え、当該蓋面は、上部側および底部側を有し、周方向端縁を有し、少なくとも１つの完全にまたは部分的に周方向の裂け目輪郭によって制限される流出口のための領域と、蓋面の一体型の部分、特にひとつなぎの部分としての、その上部側のリベットブランクの形態の締結手段のブランクとを有し、当該方法はさらに、
締結手段のブランクのためのアパーチャを有する持ち上げ式タブを設けるステップと、
第１の圧縮成形型に蓋面を挿入するステップと、
締結手段のブランクがアパーチャを通るように蓋面にまたは蓋面上に持ち上げ式タブを配置するステップと、
蓋面および／または持ち上げ式タブを任意に位置決めするステップと、
締結手段のブランクを含む蓋面および持ち上げ式タブを圧縮成形し、このようにして、蓋面に実質的に平行な寸法が持ち上げ式タブのアパーチャよりも大きなリベットヘッドを含むリベットを形成し、蓋面から突き出るおよび／または蓋面に突き出る少なくとも１つの第１のロッキング要素と、蓋面から突き出るおよび／または蓋面に突き出る少なくとも１つの第２のロッキング要素とを形成し、その結果、少なくとも１つの第１および少なくとも１つの第２のロッキング要素が互いに係合し、それによってリベットを中心とした持ち上げ式タブの回動を困難にするかまたは防止するステップとを備える、方法によっても解決される。
【００３６】
特に有用な実施例において、リベット、特にリベットヘッドは、それぞれ圧縮成形プロセスにおいて、第１または第２のロッキング要素を形成するプロセスにおいて、少なくとも１つの第１および少なくとも１つの第２のロッキング要素と少なくとも部分的に係合される。
【００３７】
別の実施例において、圧縮成形プロセスにおいて、少なくとも１つのさらなる第１のロッキング要素は、少なくとも１つのさらなる第２のロッキング要素と係合される。
【００３８】
リベットまたはリベットヘッドはそれぞれ、持ち上げ式タブのアパーチャの直径よりも大きな直径を有し、したがって後者を覆って、少なくとも部分的に、特に完全に後者を越えて延びるように、通常は成形される。
【００３９】
本発明は、飲料缶などの容器システムを極めて確実に開けることを初めて保証する本発明に係る容器の蓋が入手可能であるという驚くべき知見に基づいていた。間違った操作による苦情を完全に無くすことができる。いかなる不適切な取扱いも基本的には排除することができる。これにより、非常に高いレベルの顧客満足が保証される。
【００４０】
本発明の他の特徴および利点は、概略図を参照して本発明の好ましい実施例を例として説明する以下の説明から導き出すことができる。
【図面の簡単な説明】
【００４１】
【図１】本発明に係る容器の蓋を含む飲料缶の上部からの斜視図である。
【図２】持ち上げ式タブがない状態で示される、図１に従う飲料缶の容器の蓋の斜視図である。
【図３】図１に従う飲料缶の容器の蓋の持ち上げ式タブの概略図である。
【発明を実施するための形態】
【００４２】
図１は、本発明に係る容器の蓋２と容器本体４とを有する、飲料缶の形態の本発明に係る容器１を示す。容器の蓋２は、フランジ８によって流体密封の態様で容器本体４と接合される周方向端縁６を備える。容器の蓋２はさらに、流出口のための領域１２を備える蓋面１０を備えている。また、容器の蓋２は、ロッキング突出部の形態の第１の端部セクション１６と反対側の第２の端部セクション１８とを有する持ち上げ式タブ１４を備える。開けられた蓋面領域部分が容器の中に落ちることを防止する距離セクション４２を除いて、流出口のための領域１２は、裂け目輪郭２０によって取囲まれている。領域１２によって占められる蓋面の機械的補強のために、周方向ビード２２が設けられている。流出口の補強のために、領域１２に隣接して周方向ビード２５がさらに設けられている。上記の詳細は、図２に従う容器蓋構成要素からも導き出すことができる。図面に示されている実施例においては、容器の蓋２または蓋面１０はそれぞれ、アルミニウムなどの軽金属でできている。
【００４３】
図１に示される実施例においては、いわゆる開き位置における持ち上げ式タブ１４が示されている。これは持ち上げ式タブの通常の位置であり、この位置では開くことが常に上手くいく。なぜなら、この開き位置においては、第１の端部セクションまたはロッキング突出部１６が流出口のための領域１２との最適な重なりを有するためである。開き位置から持ち上げ式タブ１４を持ち上げると、ほとんどの場合、ロッキング突出部１６が依然として領域１２への力の最適かつ均一な伝達を保証する。開き位置から離れるように持ち上げ式タブ１４を回動させると、流出口のための領域１２との重なりがなくなるか、またはほんのわずかになる。
【００４４】
持ち上げ式タブ１４は、リベットの形態の締結手段２４によって蓋面１０に接続されている。示される実施例においては、締結手段２４は、持ち上げ式タブ１４が蓋面１０に取付けられた時に３つの第１のロッキング要素３８のうちの真ん中のロッキング要素および３つの第２のロッキング要素４０のうちの真ん中のロッキング要素（図示せず）と係合するように寸法決めされている。これにより、持ち上げ式タブのその開き位置への特にしっかりとした固定が確実になる。
【００４５】
持ち上げ式タブ１４は、第２の端部セクション１８の領域に把持面または把持開口２８を含み、これにより、単純な把持によって持ち上げ式タブを容易に操作することができる。持ち上げ式タブ１４の端部セクション１８をより便利かつ確実に把持するために、図２に示される容器の蓋２の実施例においては窪み３０が設けられている。このように、ユーザは、端部セクション１８において持ち上げ式タブを容易につかむまたは持ち上げ式タブの下に達することができ、それを持ち上げて領域１２を開けることができる。また、この構成により、端縁６の非常に近くに持ち上げ式タブの第２の端部セクション１８を位置決めすることができ、これは非常に小さな直径を有する容器の蓋を実現可能にする。例えば平行な向きを得るために、開き位置における蓋面からの持ち上げ式タブの間隔も非常に小さく保つことができる。
【００４６】
図２は、リベットの形態の締結手段２４をさらに示し、当該締結手段２４は、容器の蓋の端縁の方に径方向に延びており、蓋面１０の３つの第１のロッキング要素３８のうちの真ん中のロッキング要素と係合する。リベットの形態の締結手段２４だけでなく、第１のロッキング要素３８も端縁の方に径方向に延びている。図２は、使える状態にある蓋の蓋面１０に取付けられた持ち上げ式タブ１４を示しているのではなく、上記タブは図３に示されている。本発明の容器の蓋は、まず、まだ持ち上げ式タブと接合されておらず、かつ、蓋面のひとつなぎの部分であるリベットブランクを含む容器蓋要素を設けることによって、図２および図３に示される構成要素から製造可能である。このリベットブランクは、開口３２を介して持ち上げ式タブプリフォームを蓋の上に置くまたは配置することができるような直径を有する。容器の蓋のプリフォームのように、持ち上げ式タブプリフォームは、まだ第１または第２のロッキング要素を備えていない。開口３２を介して持ち上げ式タブプリフォームを容器の蓋のプリフォームの上に配置した後、好ましくは単一の圧縮成形プロセスにおいてリベット２４ならびに第１および第２のロッキング要素３８および４０を成形することができる。
【００４７】
リベットまたはリベットヘッドはそれぞれ、持ち上げ式タブのアパーチャの直径よりも大きな直径を有し、したがって後者を覆って、少なくとも部分的に、特に完全に後者を越えて延びるように通常は成形される。
【００４８】
このようにして、圧縮成形プロセスは、長円形のリベット２４と、３つの第２のロッキング要素４０のうちの真ん中のロッキング要素および３つの第１のロッキング要素３８のうちの真ん中のロッキング要素とを係合させる。この係合は、開くプロセスにおける持ち上げ式タブの歪曲を防止するのにすでに十分である。この圧縮成形プロセスにおいて２つの外側の第１のロッキング要素３８および２つの外側の第２のロッキング要素４０も互いに係合されるという点において、特に高いレベルの安全な操作が実現される。これにより、好ましい実施例に係る持ち上げ式タブを操作した際の歪曲に対する特に高い耐性が保証される。
【００４９】
図３に示される持ち上げ式タブ１４の実施例は、第１の端部セクション１６から第２の端部セクション１８の方に延びる保持舌片またはウェブ２６を含む。この保持舌片２６は、リベットの形態の締結手段２４に接続するための穴３２を備える。保持舌片２６は、第１の端部セクション１６の方向における持ち上げ式タブ１４の他の構成要素に接続されているのみであり、周囲の保持ウェブ３４および３６によって取囲まれており、当該保持ウェブ３４および３６は、第１の端部セクション１６から第２の端部セクション１８またはハンドル２８の方にそれぞれ延びている。第２の端部セクション１８を持ち上げると、持ち上げ式タブ１４は、開き位置における蓋面１０に対するその実質的に平行な向きから上に持ち上げられることができる。保持舌片２６は、リベット２４に取付けられており、したがって蓋面１０とフィットしたままであるか、または上記蓋面と実質的に平行に位置合わせされた状態のままである。
【００５０】
蓋面１０における窪みまたは切欠きの形態の第１のロッキング部３８は、締結手段もしくはリベット２４に隣接して設けられるか、またはこの締結手段２４から延びている。示される実施例においては、これらの切欠き３８は、実質的に直線的な構成を有しており、締結手段２４から端縁６の方に径方向に延びている。上記切欠き３８と適合する窪みの形態の第２のロッキング部４０が持ち上げ式タブ１４または保持舌片２６にそれぞれ設けられている。リベットの形態の締結手段２４を用いて持ち上げ式タブ１４を蓋面１０に取付けると、窪みの形態の第２のロッキング部４０が、形状およびサイズの点でそれらに対応する窪みの形態の第１のロッキング部３８にはめ込まれる。締結手段２４を取付けた後、持ち上げ式タブ１４は開き位置、すなわち流出口のための領域１２と最適に位置合わせされた状態になって、持ち上げ式タブを操作した時の完璧な開きが常に確実になる。たとえ持ち上げ式タブ１４の第２の端部セクション１８が持ち上げられたとしても、持ち上げ式タブ１４はもはや締結手段２４を中心として回動することはできない。
【００５１】
上記の説明、特許請求の範囲および図面に開示されている本発明の特徴は、個々におよび組合わさって、本発明のさまざまな実施例を実現することに関連性があり得る。
【図１】
2014521568.tif 000003
【図２】
2014521568.tif 000004
【図３】
2014521568.tif 000005
【国際調査報告】
2014521568.tif 000006
2014521568.tif 000007
2014521568.tif 000008
2014521568.tif 000009
2014521568.tif 000010
2014521568.tif 000011